【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを通知する通知手段を有し、
前記第１のパラメータは、前記第２のパラメータに含まれない設定要素を含む、
ことを特徴とする制御装置。
【請求項２】
前記通知手段は、複数の前記端末装置のそれぞれに対して、異なるパラメータを通知する、ことを特徴とする請求項１に記載の制御装置。
【請求項３】
前記設定要素は、
前記繰り返し送信における少なくとも２回の送信の間の時間間隔、
前記繰り返し送信における少なくとも２回の送信のそれぞれで用いる少なくとも２つの周波数リソース、
前記繰り返し送信における少なくとも２回の送信のそれぞれで用いるプリコーディングの設定、
前記繰り返し送信における少なくとも２回の送信のそれぞれで用いるＮＯＭＡ（Non-Orthogonal Multiple Access）識別子、
前記繰り返し送信における少なくとも２回の送信のそれぞれで用いる復調参照信号の送信ポート、
前記繰り返し送信における少なくとも２回の送信のそれぞれで用いる復調参照信号のconfiguration type、
前記繰り返し送信における少なくとも２回の送信のそれぞれで用いる追加の復調参照信号の配置、
前記繰り返し送信における少なくとも２回の送信のそれぞれで用いる追加の復調参照信号のシンボル数、
前記繰り返し送信における少なくとも２回の送信のそれぞれで位相追跡参照信号を用いるか否か、
前記繰り返し送信における少なくとも２回の送信のそれぞれで位相追跡参照信号が配置される密度、
の少なくともいずれかを指定する要素を含む、ことを特徴とする請求項１又は２に記載の制御装置。
【請求項４】
前記繰り返し送信における少なくとも２回の送信のそれぞれで用いるべき、前記設定要素を含んだパラメータの１つ以上の組み合わせを含んだテーブルを保持する保持手段をさらに有する、ことを特徴とする請求項１から３のいずれか１項に記載の制御装置。
【請求項５】
前記通知手段は、前記テーブルから、前記１つ以上の組み合わせのうちのいずれの組み合わせを用いるべきかを示す情報を前記端末装置へ通知する、ことを特徴とする請求項４に記載の制御装置。
【請求項６】
制御装置から、１つのデータを繰り返し送信するために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを受信する受信手段と、
前記受信手段によって受信した前記パラメータに基づいて、前記繰り返し送信により１つのデータを送信する送信手段と、
を有し、
前記第１のパラメータは、前記第２のパラメータに含まれない設定要素を含む、
ことを特徴とする端末装置。
【請求項７】
前記設定要素は、
前記繰り返し送信における少なくとも２回の送信の間の時間間隔、
前記繰り返し送信における少なくとも２回の送信のそれぞれで用いる少なくとも２つの周波数リソース、
前記繰り返し送信における少なくとも２回の送信のそれぞれで用いるプリコーディングの設定、
前記繰り返し送信における少なくとも２回の送信のそれぞれで用いるＮＯＭＡ（Non-Orthogonal Multiple Access）識別子、
前記繰り返し送信における少なくとも２回の送信のそれぞれで用いる復調参照信号の送信ポート、
前記繰り返し送信における少なくとも２回の送信のそれぞれで用いる復調参照信号のconfiguration type、
前記繰り返し送信における少なくとも２回の送信のそれぞれで用いる追加の復調参照信号の配置、
前記繰り返し送信における少なくとも２回の送信のそれぞれで用いる追加の復調参照信号のシンボル数、
前記繰り返し送信における少なくとも２回の送信のそれぞれで位相追跡参照信号を用いるか否か、
前記繰り返し送信における少なくとも２回の送信のそれぞれで位相追跡参照信号が配置される密度、
の少なくともいずれかを指定する要素を含む、ことを特徴とする請求項６に記載の端末装置。
【請求項８】
前記繰り返し送信における少なくとも２回の送信のそれぞれで用いるべき、前記設定要素を含んだパラメータの１つ以上の組み合わせを含んだテーブルを保持する保持手段をさらに有する、ことを特徴とする請求項６又は７に記載の端末装置。
【請求項９】
前記受信手段は、前記テーブルに含まれる前記１つ以上の組み合わせのうちのいずれの組み合わせを用いるべきかを示す情報を受信し、
前記送信手段は、事前に割り当てられた無線リソースを用いて前記繰り返し送信を実行する場合、当該情報に基づいて特定される前記第１のパラメータを用いて、１つのデータを前記繰り返し送信によって送信する、
ことを特徴とする請求項８に記載の端末装置。
【請求項１０】
制御装置によって実行される制御方法であって、
１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを通知する通知工程を含み、
前記第１のパラメータには、前記第２のパラメータに含まれない設定要素を含む、
ことを特徴とする制御方法。
【請求項１１】
端末装置によって実行される通信方法であって、
制御装置から、１つのデータを繰り返し送信するために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを受信する受信工程と、
前記受信工程において受信した前記パラメータに基づいて、前記繰り返し送信により１つのデータを送信する送信工程と、
を含み、
前記第１のパラメータには、前記第２のパラメータに含まれない設定要素を含む、
ことを特徴とする通信方法。
【請求項１２】
制御装置に備えられたコンピュータに、１つのデータを繰り返し送信する端末装置に対して当該繰り返し送信のために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを通知させるためのプログラムであって、
前記第１のパラメータは、前記第２のパラメータに含まれない設定要素を含む、
ことを特徴とするプログラム。
【請求項１３】
端末装置に備えられたコンピュータに、
制御装置から、１つのデータを繰り返し送信するために使用すべきパラメータであって、事前に割り当てられた無線リソースを用いてスケジューリング要求を送信せずに信号を送信する場合に設定される第１のパラメータと、前記スケジューリング要求を送信したことに応じて割り当てられた無線リソースを用いて信号を送信する場合に設定される第２のパラメータとの少なくともいずれかを含んだ前記パラメータを受信させ、
受信した前記パラメータに基づいて、前記繰り返し送信により１つのデータを送信させる、
ためのプログラムであって、
前記第１のパラメータは、前記第２のパラメータに含まれない設定要素を含む、
ことを特徴とするプログラム。